(57)【要約】【課題】走査精度の要求の異なる画像形成装置に対して汎用性のある走査装置及びこれを備えた画像形成装置を提供する。【解決手段】レーザースキャナ装置１００ｃを支持するレーザーステイ１０５ｃは、白黒複写機及びカラー複写機共に共通に利用され、いずれの複写機にも固定できるように構成されている。そして、カラー複写機の場合には、レーザースキャナ周りＲ２の剛性を上げるための振動伝達抑制部材としてのアタッチメント部材１１０ｃがレーザーステイ１０５ｃに固定される。【選択図】　図１
2004021156.tif 000002
【特許請求の範囲】
【請求項１】
露光走査を行う光学部品と、
該光学部品が配設される筐体と、
該筐体を支持すると共に、画像形成装置本体に固定される支持部材と、を備え、
画像形成装置内に取り付けられて、該画像形成装置に備えられた像担持体上に露光走査を行う走査装置において、
前記支持部材は、
走査精度の要求が異なる複数種類の画像形成装置に対して固定可能に構成されると共に、
画像形成装置本体から前記筐体への振動の伝達を抑制する振動伝達抑制部材が付属品として取付可能に構成されていることを特徴とする走査装置。
【請求項２】
前記画像形成装置の走査精度が一定以上の場合に、前記振動伝達抑制部材が前記支持部材に取り付けられることを特徴とする請求項１に記載の走査装置。
【請求項３】
前記振動伝達抑制部材は前記支持部材に対して着脱自在に構成されていることを特徴とする請求項１または２に記載の走査装置。
【請求項４】
前記振動伝達抑制部材は、前記支持部材に対して、前記筐体が取り付けられている領域であって、反対側の面に取り付けられることを特徴とする請求項１，２または３に記載の走査装置。
【請求項５】
前記振動伝達抑制部材は、前記支持部材に対して、前記筐体内に配設された光学部品のうち、レーザーを発射するレーザー光源が配置された領域であって、反対側の面に取り付けられることを特徴とする請求項１〜４のいずれか一つに記載の走査装置。
【請求項６】
前記振動伝達抑制部材には、前記筐体を支持する支持手段が設けられていることを特徴とする請求項１〜５のいずれか一つに記載の走査装置。
【請求項７】
前記支持手段は、前記筐体に配設された光学部品のうち、レーザーを発射するレーザー光源が配置された領域を支持することを特徴とする請求項６に記載の走査装置。
【請求項８】
前記支持手段は、前記筐体に配設された光学部品のうち、レーザーを発射するレーザー光源が配置された領域と該レーザー光源より発射されたレーザーを走査するように反射する回転多面鏡の駆動モータが配置された領域を支持することを特徴とする請求項６に記載の走査装置。
【請求項９】
前記振動伝達抑制部材の前記支持部材に対する取り付け方向と、前記支持部材の画像形成装置本体に対する取り付け方向が略一致していることを特徴とする請求項１〜８のいずれか一つに記載の走査装置。
【請求項１０】
前記振動伝達抑制部材を前記支持部材に取り付けた状態のまま、前記支持部材を画像形成装置本体に対して着脱可能であることを特徴とする請求項１〜９のいずれか一つに記載の走査装置。
【請求項１１】
前記振動伝達抑制部材は、前記支持部材に対して、前記筐体内に配設された光学部品のうち、レーザーを発射するレーザー光源，該レーザー光源より発射されたレーザーを走査するように反射する回転多面鏡の駆動モータ、及び前記回転多面鏡によって走査される光を前記像担持体に向けて反射する反射鏡が配置された領域であって、反対側の面に取り付けられることを特徴とする請求項１〜４のいずれか一つに記載の走査装置。
【請求項１２】
請求項１〜１１のいずれか一つに記載の走査装置と、
該走査装置によって露光走査されて潜像が形成される像担持体と、を備えることを特徴とする画像形成装置。
【発明の詳細な説明】
【０００１】
【発明の属する技術分野】
本発明は、走査装置及び画像形成装置に関するものである。
【０００２】
【従来の技術】
デジタル複写機やレーザービームプリンタ等の白黒あるいはカラーの画像形成装置には、レーザービームによって画像情報に応じた画像を像担持体上に書き込むための走査装置が備えられている。
【０００３】
図１１と図１２を参照して、従来技術に係る画像形成装置についてカラーの画像形成装置の場合と、白黒の画像形成装置の場合に分けて説明する。
【０００４】
図１１は従来技術に係るカラー画像形成装置の模式的断面図であり、従来技術に係るカラー複写機における原稿リーダーユニット５０ａとプリンタユニット６０ａの主要部断面図、及び原稿読み取り装置５２ａを示したものである。
【０００５】
原稿リーダーユニット５０ａは、その上面にある原稿を読み取って電子データ化するもので、原稿画像を読み取る第１ミラーユニット５３ａと、第１ミラーユニット５３ａによって読み取られた画像を所定方向に導く第２ミラーユニット５４ａと、第２ミラーユニット５４ａからの反射光を結像するためのレンズ５５ａと、読み取った光学情報を電子情報に変換するためのＣＣＤ５１ａと、原稿が載置されるプラテン５６ａから構成される。
【０００６】
そして、得られた電子データをプリントするプリンタユニット６０ａは、概略、シートを給紙する給紙部４０ａと、その上方にある画像形成部と、画像形成部によってシートに形成された画像をシートに定着するための定着器３６ａと、画像形成済みのシートを排出して積載するための排紙トレイ４５ａを備えた排紙部とを備える。
【０００７】
画像形成部は、図示されない駆動機構によって回転可能な像担持体としての感光ドラム３３ａを備え、その周囲には、潜像を現像化するための、マゼンタ，シアン，イエロー，ブラック、各々の現像器を内蔵する回転現像体３４Ｄと、各々の色で形成された現像を担持しておくための中間転写ベルト３５ａと、画像形成直後を除いて普段は中間転写ベルトから離間しており、必要に応じて中間転写ベルト３５ａ上の不要なトナーを清掃するベルトクリーナ３７ａと、感光ドラム３３ａ上の不要なトナーを清掃するクリーナ３１ａと、感光ドラム３３ａ上を一様に帯電するための帯電ローラ３２ａと、感光ドラム３３ａ上に所望の潜像を形成するために、レーザービームを感光ドラム３３ａの表面に照射するレーザースキャナ装置１００ａが設けられている。なお、クリーナ３１ａと帯電ローラ３２ａはドラムカートリッジ６１ａに設けられている。
【０００８】
また、レーザースキャナ装置１００ａは、図示されないレーザー光源からのレーザービーム１０１ａをスキャナモータによって回転される回転多面鏡１０２ａで反射し、レンズ１０３ａと反射ミラー１０４ａを経由してレーザービーム１０１ａを感光ドラム３３ａに向けて照射するものである。
【０００９】
次に、以上のように構成されたカラー複写機の動作を説明する。
【００１０】
カラー複写機で原稿を複写する操作者は、まず原稿を原稿トレイ５７ａに載置する。そして、原稿リーダーユニット５０ａに設けた図示しないスタートキーを押してカラー複写機を動作させる。
【００１１】
動作を開始したカラー複写機は、原稿をプラテン５６ａ上面に送り込んでその全面を左から右に移動する第１ミラーユニット５３ａによって走査し、原稿を排紙トレイ５８ａに排出する。なお、第１ミラーユニット５３ａで走査された像は第２ミラーユニット５４ａとレンズ５５ａを経由してＣＣＤ５１ａへ導かれ、そこで電子データに変換されてから、電子データに変換された画像情報がプリンタユニット６０ａへ送られる。
【００１２】
次に、プリンタユニット６０ａは、電子データの色情報に基づいて、マゼンタトナー，イエロートナー，シアントナー，ブラックトナーの中から必要な色のトナーを給紙部４０ａから送られてきた用紙に重ねて転写し、カラー画像を形成する。以下では４色全てを使う場合を想定して転写過程の詳細を説明する。
【００１３】
プリンタユニット６０ａは、まず回転現像体３４Ｄを回転させてマゼンタ現像器３４ｄを感光ドラム３３ａに対向させる。
【００１４】
次に、感光ドラム３３ａと中間転写ベルト３５ａは図示されない駆動源により一定、且つ同一周速で回転駆動される。そして、感光ドラム３３ａは帯電ローラ３２ａにより表面を一様に帯電された後、レーザースキャナ装置１００ａからのレーザービーム１０１ａを受光してマゼンタ色用の静電潜像が形成される。この静電潜像はマゼンタ現像器３４ｄからマゼンタトナーが付着されマゼンタトナー像として現像され、その後、中間転写ベルト３５ａへ転写される。なお、中間転写ベルト３５ａに転写されずに感光ドラム３３ａ上に残ったマゼンタトナーはクリーナ３７ａにより清掃される。
【００１５】
このようにしてマゼンタ現像を終了した後、回転現像体３４Ｄは回転して感光ドラム３３ａと対向する位置にシアン現像器３４ｃを配置する。そして、マゼンタトナー像と同様な手順で、シアントナー像はマゼンタトナー像の上に重ねるようにして中間転写ベルト３５ａへ転写される。
【００１６】
以降、イエロー現像器３４ｂ，ブラック現像器３４ａの順番で各現像器は感光ドラム３３ａと対向させられ、それぞれの色のトナー像を先に転写したトナー像に重ねる形で中間転写ベルト３５ａに形成していく。
【００１７】
このようにして、マゼンタ，シアン，イエロー，ブラックの４色の画像が転写された中間転写ベルト３５ａは、転写部３８ａにおいて、給紙部４０ａから送られてきた用紙にトナー像が転写された後、ベルトクリーナ３７ａが接触させられて残ったトナー像が掻き落とされる。
【００１８】
このようにしてカラー画像を用紙に転写にした後、プリンタユニット６０ａは定着器３６ａで用紙上のトナー像を定着してから用紙を排紙トレイ４５ａ上に排出し、動作を終了する。
【００１９】
続いて、図１２を参照して、従来技術に係る白黒（単色）の画像形成装置（白黒複写機）について説明する。図１２は従来技術に係る白黒画像形成装置の模式的断面図である。
【００２０】
まず、カラー複写機と白黒複写機との違いは、基本的に“トナーが４色”と“トナーが１色”との違いから、作像部（スキャナ→現像→感光ドラム→転写）の構成が主として異なっている。白黒複写機はカラー複写機と比較して作像部及びそれを起動させる駆動源が少ない。それ以外は基本的には同じ構成である。なお、図１１に示す構成と同一の構成部分については、数字の符号に添えた英字の符号ａをｂに替えて示しており、適宜、その説明は省略する。
【００２１】
ここで、白黒複写機の動作方法を説明する。
【００２２】
カラー複写機の場合と同様に、原稿を複写する操作者は、まず原稿を原稿トレイ５７ｂに載置する。そして、原稿リーダーユニット５０ｂに設けた図示しないスタートキーを押して白黒複写機を動作させる。
【００２３】
動作を開始後、原稿をプラテン５６ｂ上面に送り込んで、その全面を左から右に移動する第１ミラーユニット５３ｂによって走査し、原稿を排紙トレイ５８ｂに排出する。第１ミラーユニット５３ｂで走査された像は第２ミラーユニット５４ｂから、レンズ５５ａを通って、ＣＣＤ５１ｂへと導かれ、そこで画像情報は電子データに変換されてからプリンタユニット６０ｂへ送られる。
【００２４】
次に、プリンタユニット６０ｂは電子データの色情報に基づいて、レーザースキャナ装置１００ｂは図示されないレーザー光源からのレーザービーム１０１ｂをスキャナモータによって回転駆動される回転多面鏡１０２ｂで反射し、レンズ１０３ｂを経由してレーザービーム１０１ｂを感光ドラム３３ｂに向けて照射する。
【００２５】
このように、光学系により原稿画像を走査露光して感光ドラム３３ｂ上に結像して静電潜像を作る。この静電潜像は現像器４６ｂにより現像される。
【００２６】
なお、記録紙は給紙装置４０ｂから上流側搬送ローラ対４７ｂを通ってレジストローラ対４８ｂへと搬送され、レジストを補正された後、転写部へと搬送される。そして、先ほど現像器４６ｂにより現像された像を感光ドラム３３ｂと転写ローラ３８ｂより記録紙上に転写する。
【００２７】
画像が転写された記録紙は、分離帯電器により感光ドラム３３ｂから剥がされる。
【００２８】
そして、定着器３６ｂで記録紙上の像を定着して排紙ローラにより排紙トレイ４５ｂに排出し、片面のコピ−動作を終了する。
【００２９】
なお、図示の白黒複写機のレーザースキャナ装置１００ｂ内に、反射ミラー（カラー複写機における図１１に示す反射ミラー１０４ｂ）が無いのは、上記の通り、白黒複写機はカラー複写機に比べて、作像するプロセス装置が少ない（現像装置がカラーの場合は４個あるのに対して白黒１つしかなく、カラーの場合は中間転写ベルト３５やベルトクリーナ３７ａがあるのに対して白黒はない）ため、スペース上の制約が少なく、感光ドラム３３ｂに対して、直接レーザービーム１０１ａが照射できたケースを用いたためである。
【００３０】
画像形成装置内に設けられる構成部材の配置の兼ね合いで、感光ドラム３３ｂに対して直接レーザービーム１０１ａが照射できない場合には、反射ミラーを配置すればよい。
【００３１】
一方、カラー複写機において、構成部材の配置構成により直接レーザービーム１０１ａが照射できる場合には、反射ミラーを無くすことができる。
【００３２】
また、カラー複写機と白黒複写機を構成するユニットにおいては、上記の作像するプロセス装置（回転現像体３４Ｄ，現像器４６ｂ，中間転写ベルト３５ａ，ベルトクリーナ３７ａ，ドラムカートリッジ６１ａ，６１ｂ等）以外の転写紙搬送装置，レーザースキャナ装置，本体枠体等を共通化することが望ましい。
【００３３】
これが出来れば、共通化による型投資が少なくなり製品のコストダウンが図れる。しかし、現状では、特にレーザースキャナ装置周りの共通化が難しいと言われている。
【００３４】
レーザースキャナ装置周りの共通化が難しい理由について説明する。
【００３５】
一般にカラー複写機は白黒複写機に比べて画像不良が発生しやすい。この理由を図１３及び図１４を参照して説明する。
【００３６】
図１３は走査装置による画像不良が発生する原因を説明する説明図であり、図１３（Ａ）はレーザースキャナ装置１００ａの上視図であり、図１３（Ｂ）はレーザースキャナ装置周りの断面図であり、図１３（Ｃ）はドラム周りの拡大図であり、図１３（Ｄ）はカラー複写機に白黒複写機のレーザースキャナ装置構成を適用した場合の断面図である。また、図１４はレーザースキャナ周り斜視図である。
【００３７】
まず、図１３（Ｂ）（Ｃ）に示すように、カラー複写機はトナーを４色転写させる必要があるため、レーザースキャナ装置１００ａから発せられるレーザービーム１０１ａがドラム３３ａへ照射する規定の位置Ｐ１からのズレ量Ｍ１が大きいと画像不良が発生する。具体的には、Ｍ１＞２μｍになると周期的な画像のブレや、４色のトナーの位置ズレによる色ムラ等の画像不良が発生する。
【００３８】
これは、図１３（Ｂ）に示すように、カラー複写機が稼動中に、本体の駆動源から本体枠及びレーザーステイ１０５ａを通り、レーザースキャナ装置１００ａへと振動Ｑ１が伝達され、レーザースキャナ装置１００ａがＳ１方向に揺らされることで、レーザービーム１０１ａの所定の照射位置Ｐ１からズレてしまうためである。
【００３９】
特に、図１４に示すレーザービーム１０１ａの光路を決めるためのレーザー光源１０６ａ，スキャナモータによって回転される回転多面鏡１０２ａ、及び反射ミラー１０４ａがＳ１方向に振動すると、レーザービーム１０１ａが鎖線で示すようにズレてしまう。
【００４０】
そこで、このような振動を抑制するために、図１３（Ｂ）に示すレーザースキャナ装置１００ａを支持するレーザーステイ１０５ａの板厚ｔ１を大きくしたり、レーザーステイ１０５ａを分割化して剛性を上げたりすることで、振動Ｑ１が伝わり難いようにしている。
【００４１】
さらにレーザースキャナ装置１００ａのレーザースキャナ箱１０７ａの材質を高剛性のもの（アルミまたはＢＭＣ等：コスト高い）にするケースも多々ある。
【００４２】
このようにして、レーザービーム１０１ａのズレを軽減させているのが現状である。
【００４３】
これに対し、白黒複写機は作像装置が少ないためにそれを駆動させるための本体駆動の振動Ｑ１が少ないことから、レーザービームのズレによる画像不良が発生し難い。また、トナーが１色であるため各トナーによる色ずれも起こらない。
【００４４】
このため、白黒複写機は照射位置ズレＭ１が５μｍ以下なら画像不良が起こらないので、白黒複写機は、カラー複写機ほどレーザースキャナ箱及びレーザーステイを高剛性にする必要がない。
【００４５】
仮に、レーザースキャナ装置周りの共通化を行うために、カラー複写機に用いられるレーザースキャナ装置及びレーザーステイを白黒複写機に搭載すると、白黒複写機のレーザースキャナ装置周りのコストが非常に高くなる。また、レーザーステイ構成が異なるために、レーザーステイの本体フレームに対する締結手段が異なる場合が多く、本体フレームの共通化も難しいのが現状である。
【００４６】
逆に、図１３（Ｄ）に示すようにカラー複写機に白黒複写機に用いられるレーザースキャナ装置１００ｂ及びレーザーステイ１０５ｂを搭載すると本体駆動源からの振動によりレーザービームの照射位置ズレＭ１が非常に大きくなり画像不良が発生する。
【００４７】
そのため、従来、白黒複写機とカラー複写機では、各々専用の走査装置（レーザースキャナ装置及びレーザーステイ）を用いている。
【００４８】
このように、カラー複写機と白黒複写機で、それぞれ別々の専用のレーザースキャナ装置やレーザーステイを作っていては、型投資に掛かるコストが二倍になるため、最終的にはカラー複写機，白黒複写機共にコストＵＰとなっている。
【００４９】
【発明が解決しようとする課題】
上述の通り、従来技術の場合には、走査精度の要求の異なる画像形成装置に対する走査装置の共有化を図れていなかった。そのため、型投資の増加の原因にもつながっていた。
【００５０】
本発明の目的は、走査精度の要求の異なる画像形成装置に対して汎用性のある走査装置及びこれを備えた画像形成装置を提供することにある。
【００５１】
【課題を解決するための手段】
本発明の走査装置は、画像形成装置内に取り付けられ、画像形成装置に備えられた像担持体上に露光走査を行うための装置であり、露光走査を行う光学部品と、この光学部品が配設される筐体と、この筐体を支持すると共に、画像形成装置本体に固定される支持部材とを備えるものである。
【００５２】
ここで、光学部品としては、例えば、レーザー光等を発する光源，レーザー光を走査的に反射するための回転多面鏡，レンズ（結像手段）、あるいは反射鏡などが挙げられる。
【００５３】
そして、上記目的を達成するために本発明にあっては、支持部材は、走査精度の要求が異なる複数種類の画像形成装置に対して固定可能に構成されることを特徴とする。
【００５４】
このように構成することで、本発明の走査装置は、走査精度の要求が異なる複数種類の画像形成装置に対して用いることが可能となる。
【００５５】
また、本発明にあっては、支持部材は、画像形成装置本体から筐体への振動の伝達を抑制する振動伝達抑制部材が付属品として取付可能に構成されていることを特徴とする。
【００５６】
このように構成することで、必要に応じて振動伝達抑制部材を支持部材に取り付けることで、画像形成装置本体から筐体への振動の伝達を抑制することが可能となる。
【００５７】
つまり、画像形成装置においては、走査装置の振動が少ないほど走査精度が高くなる。従って、走査精度を高くするためには、走査装置の振動を抑制する必要がある。
【００５８】
ここで、走査装置の振動を抑制するためには、走査装置の構成部品、特に光学部品を配設するための筐体や、走査装置を画像形成装置本体に取り付けるための支持部材などの剛性を高めるために、これらの部材の強度を挙げたり、何らかの振動を抑制するための部品を設けたりすることが挙げられる。
【００５９】
しかし、走査装置の振動の抑制効果を高めようとすればするほど、部品点数が増加したり、使用材料を高品質なものとしたりするなど、コストが増加してしまう原因となる。
【００６０】
一方、画像形成装置は、その種類に応じて、要求される走査精度が異なっている。従って、走査装置が適用される画像形成装置のうち、走査精度要求の最も高い画像形成装置に対して、品質を満足するようにして、一律に他の画像形成装置に対しても同じ品質にした場合には、要求される走査精度が低い画像形成装置に対しては、徒に部品点数が増加するなどの無駄が生じてしまい、無駄にコストを挙げてしまう原因となる。なお、要求される走査精度に関しては、例えば、単色（白黒）画像形成装置の場合には、要求される走査精度はそれほど高くなく、カラー画像形成装置の場合には、要求される走査精度は単色画像形成装置の場合に比べて高い。
【００６１】
そこで、本発明においては、走査精度の要求が高い画像形成装置に対しては、振動伝達抑制部材を支持部材に取り付けることで、画像形成装置本体から筐体への振動の伝達を抑制して走査精度の要求に満足するようにし、一方、走査精度の要求が低く、振動伝達抑制部材を支持部材に取り付けなくても、走査精度の要求に満足する場合には、振動伝達抑制部材は取り付けないことで、無駄な部品点数の増加を招かなくても済むようにした。
【００６２】
また、振動伝達抑制部材を支持部材に対して着脱自在に構成すると好適である。このようにすれば、走査精度の要求を満たすために振動伝達抑制部材を必要とする画像形成装置から必要としない画像形成装置に走査装置を付け替える場合、あるいはその逆の場合には、振動伝達抑制部材を適宜着脱すればよく、作業が容易なものとなる。
【００６３】
振動伝達抑制部材の支持部材に対する取付位置は、特に限定されるものではないが、筐体への振動伝達防止の観点からは、筐体が取り付けられている領域であることが望ましく、特に、筐体内に配設された光学部品であって、振動抑制の要求が高い部品が配置された領域であることが望ましい。
【００６４】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００６５】
（第１の実施の形態）
図１〜図６を参照して、本発明の第１の実施の形態に係る走査装置及び画像形成装置について説明する。
【００６６】
図１は画像形成装置における主要構成部付近の模式的断面図であり、（Ａ）は白黒複写機の場合を示し、（Ｂ）はカラー複写機の場合を示している。
【００６７】
走査装置としてのレーザースキャナ周りＲ１，Ｒ２以外の構成については上述した従来例と同様ある。なお、説明を簡単にするために、図１１に示す構成と同一の構成部分については、白黒複写機については数字の符号に添えた英字の符号ａをｃに替えて示しており、カラー複写機については数字の符号に添えた英字の符号ａをｄに替えて示している。
【００６８】
本実施の形態に係る走査装置は、レーザースキャナ装置１００ｃと支持部材としてのレーザーステイ１０５ｃとを備える。
【００６９】
本実施の形態においては、走査装置は、白黒複写機に対してもカラー複写機に対しても適用することができ、汎用性がある。
【００７０】
まず、白黒複写機の主要構成について、簡単に説明する。
【００７１】
白黒複写機の場合には、図１（Ａ）に示すように、像担持体としての感光ドラム３３ｃと帯電ローラなどが設けられたドラムカートリッジ６１ｃと、潜像をトナーによって可視像とするための現像器４６ｃが備えられている。
【００７２】
このような構成により、帯電ローラによって表面の電位が一様にされた感光ドラム３３ｃ上にレーザースキャナ装置１００ｃによって露光走査することで、静電潜像を形成し、この静電潜像を現像器４６ｃによりトナーによって可視像（トナー像）とする。
【００７３】
その後、この可視像をシート（用紙等）に転写して、定着させた後に、画像形成済みのシートを排出する。
【００７４】
次に、カラー複写機の主要構成について、簡単に説明する。
【００７５】
カラー複写機の場合には、図１（Ｂ）に示すように、像担持体としての感光ドラム３３ｄと、帯電ローラなどが設けられたドラムカートリッジ６１ｄと、潜像を各色トナーによって可視像とするための回転現像体３４Ｄと、各々の色で形成された現像を担持しておくための中間転写ベルト３５ｄと、画像形成直後を除いて普段は中間転写ベルトから離間しており、必要に応じて中間転写ベルト３５ｄ上の不要なトナーを清掃するベルトクリーナ３７ｄとを備えている。
【００７６】
このような構成により、帯電ローラによって表面の電位が一様にされた感光ドラム３３ｄ上にレーザースキャナ装置１００ｃによって、露光走査することで、各色に応じた静電潜像を形成し、この静電潜像を回転現像体３４Ｄに設けられた現像器により所定の色のトナーによって可視像（トナー像）とする。
【００７７】
その後、この可視像を中間転写ベルト３５ｄ上に転写する。
【００７８】
この動作を４色分繰り返して行うことで、中間転写ベルト３５ｄ上には、所望の色によるトナー像が担持される。なお、中間転写ベルト３５ｄ上に残った不要なトナーは、ベルトクリーナ３７ｄによって清掃される。
【００７９】
そして、この所望の色によるトナー像はシート上に転写された後に定着された後に、画像形成済みのシートは排出される。
【００８０】
白黒複写機とカラー複写機の構成の違いは、作像部である回転現像体３４Ｄ，現像器４６ｃ，中間転写ベルト３５ｄ，ベルトクリーナ３７ｄ，ドラムカートリッジ６１ｃ，６１ｄとそれを駆動する駆動装置及び制御装置のみである。
【００８１】
レーザースキャナ周りＲ１，Ｒ２においては、レーザースキャナ装置１００ｃについて、カラー複写機の場合にのみ、反射ミラー１０４ｄが付いている。これは、作像部の違いによるスペース上の制約によりカラー複写機では感光ドラム３３ｄに直接レーザービーム１０１ｄを照射するのが困難だからである。
【００８２】
配置の工夫、あるいは部品の小型化等によって、感光ドラム３３ｄに直接レーザービーム１０１ｄを照射できるのであれば、レーザースキャナ装置１００ｃは完全に白黒とカラーの共通となる。
【００８３】
そして、筐体としてのレーザースキャナ箱１０７ｃは、この反射ミラー１０４ｄが着脱可能に構成されており、且つ白黒とカラーの共通となっている。従って、レーザースキャナ装置の型投資及び装置構成は基本的に変わらない。
【００８４】
なお、白黒複写機からカラー複写機にレーザースキャナ装置１００ｃを変更する際には、この反射ミラー１０４ｃのみをレーザースキャナ装置１００ｃに接続するだけで良い。
【００８５】
このように、反射ミラー１０４ｄの装着の有無が、レーザースキャナ装置１００ｃの汎用性を妨げるものではない。
【００８６】
レーザースキャナ装置１００ｃ（のレーザースキャナ箱１０７ｃ）を支持する支持部材としてのレーザーステイ１０５ｃは、白黒複写機及びカラー複写機共に共通に利用され、いずれの複写機にも固定できるように構成されている。
【００８７】
このレーザーステイ１０５ｃは、白黒複写機において、レーザースキャナ装置１００ｃから感光ドラム３３ｃへのレーザービームの照射位置ズレが５μｍ以下となるように構成されている。つまり、レーザーステイ１０５ｃの形状，寸法，材料等によって、レーザースキャナ装置１００ｃへの振動の伝達を抑制する効果によって、感光ドラム３３ｃへのレーザービームの照射位置ズレが５μｍ以下となる。
【００８８】
なお、レーザーステイ１０５ｃは、白黒複写機の場合及びカラー複写機の場合のいずれも、装置の本体枠体に対して、同じ位置にビス１１１ｃで固定される構成である。
【００８９】
また、カラー複写機の場合には、本実施の形態の特徴であるレーザースキャナ周りＲ２の剛性を上げるための振動伝達抑制部材としてのアタッチメント部材１１０ｃがレーザーステイ１０５ｃに固定されている。このアタッチメント部材１１０ｃがレーザーステイ１０５ｃに固定されると、剛性が高くなることによって、レーザーステイ１０５ｃへの振動の伝達がより一層抑制されることによって、走査精度が向上するようになる。
【００９０】
次に、レーザースキャナ装置周りの構成を説明する。
【００９１】
図２は走査装置（レーザースキャナ装置１００ｃとレーザーステイ１０５ｃ）の概略構成図であり、図２（Ａ）はその上視図であり、図２（Ｂ）はその斜視図である。
【００９２】
レーザービーム１０１ｃは光源であるレーザー発光部１０６ｃから発射されて、スキャナモータによって駆動される回転多面鏡１０２ｃによって走査するように反射され、更に反射ミラー１０４ｄを介して感光ドラムへ照射される。
【００９３】
次に、レーザースキャナ装置１００ｃのレーザーステイ１０５ｃへの固定方法について説明する。
【００９４】
レーザースキャナ装置１００ｃを図２中矢印Ｖ１方向から挿入すると、レーザーステイ１０５ｃに設けた位置決め穴とレーザースキャナ箱１０７ｃの設けた位置決めボスが嵌合（嵌合部１１３ｃ）し、レーザースキャナ箱１０７ｃが規定の位置に配置される。
【００９５】
そして、レーザーステイ１０５ｃにビス１１４ｃで設置された第一の加圧バネ１１５ｃ（２箇所）でレーザースキャナ装置１００ｃを保持する。そして、レーザースキャナ装置を装着後、ビス１１６ｃで第二の加圧バネ１１７ｃをレーザーステイ１０５ｃに固定する。
【００９６】
これにより、装着が完了し、レーザースキャナ装置１００ｃはレーザーステイ１０５ｃに対して３点保持によって支持される。
【００９７】
なお、レーザースキャナ装置１００ｃの交換を行う際は、着脱方向であるＶ１から外装カバー１１２ｃ，固定ビス１１６ｃ及び第二の加圧バネ１１７ｃを外すことで取り外すことができる。
【００９８】
次に、レーザーステイとアタッチメント部材について図３を参照して説明する。図３はレーザーステイにアタッチメント部材を取り付ける場合の様子を示す斜視図である。
【００９９】
図３に示すように、レーザーステイ１０５ｃにアタッチメント部材１１０ｃを取り付ける場合には、まず、レーザーステイ１０５ｃに設けた穴１１８ｃ（４箇所）にアタッチメント部材１１０ｃの引掛け部１１９ｃ（４箇所）をＦ１方向からスライドして差し込む。
【０１００】
その際、アタッチメント部材１１０ｃにビス１２６ｃで固定されたレーザースキャナ装置保持用の支持手段としての第三の加圧バネ１２０ｃ（２箇所）が逃げ穴１２１ｃの中に入る構成となっている。
【０１０１】
その後、レーザーステイ１０５ｃの側面側の穴１２２ｃとアタッチメント部材１１０ｃの側面側の穴１２３ｃが一致し、ここにビス１２４ｃで固定することによって取り付けが完了する。
【０１０２】
また、アタッチメント部材１１０ｃには、スライド時に第二の加圧バネ用のビス１１６ｃとの干渉を無くすために逃げ穴１２５ｃが設けられている。
【０１０３】
続いて、アタッチメント部材１１０ｃに設けた第三の加圧バネ１２０ｃのレーザースキャナ装置１００ｃへの加圧箇所について図４を参照して説明する。図４は走査装置周りの概略構成図であり、図４（Ａ）はその上視図であり、図４（Ｂ）はその断面図である。
【０１０４】
第三の加圧バネ１２０ｃはレーザースキャナ箱１０７ｃに設けたレーザー発光部１０６ｃ近傍の保持部１２７ｃと、スキャナモータによって回転駆動される回転多面鏡１０２ｃを介してＬ１軸上でレーザー発光部１０６ｃと対象となる近傍の保持部１２７ｃを加圧する構成となっている。
【０１０５】
これにより、レーザービーム１０１ｃの光路を決めるレーザー発光部１０６ｃと回転多面鏡１０２ｃの本体駆動源からの振動によるＳ２方向の揺れを防止することが出来る。
【０１０６】
なお、ビス１２９ｃ（２箇所）でレーザーステイ１０５ｃとアタッチメント部材１１０ｃの固定手段を追加するとレーザービーム１０１ｃの照射位置ズレを抑制する効果は更に大きくなる。
【０１０７】
また、レーザー発光部１０６ｃのみを加圧しても、レーザービーム１０１ｃの発する根元の振動を抑えることが出来るために、レーザービーム１０１ｃの照射位置ズレ抑制にかなりの効果がある。
【０１０８】
図５はアタッチメント部材１００ｃに設けられた第三の加圧バネ１２０ｃがレーザースキャナ装置１００ｃを保持する構成を説明する詳細説明図であり、図５（Ａ）は保持前を示し、（Ｂ）は保持後を示している。
【０１０９】
まず、Ｇ１からＦ１方向へアタッチメント部材１１０ｃをレーザーステイ１０５ｃに挿入することで、引掛け部１１９ｃがレーザーステイ１０５ｃに保持されるとともに、第三の加圧バネ１２０ｃに設けた加圧用絞り部１３０ｃがレーザースキャナ装置１００ｃのレーザー発光部近傍の保持部１２７ｃを加圧するのである。
【０１１０】
このように、アタッチメント部材１１０ｃをレーザーステイ１０５ｃに取り付けることによって、図６に示すように、カラー複写機においても、レーザービーム１０１ｃの感光ドラム３３ｄへの照射が、所定の位置Ｐ２からのズレ量Ｍ４が２μｍ以下となり、画像不良が発生しない。
【０１１１】
なお、図６は走査装置による走査精度を説明する説明図であり、図６（Ａ）はレーザースキャナ周辺構成図を示し、図６（Ｂ）はレーザービーム照射拡大図を示している。
【０１１２】
以上のように、本発明の実施の形態においては、カラー複写機と白黒の複写機において、レーザースキャナ装置とそれを支持するレーザーステイを共通に使用することができる。
【０１１３】
そして、このレーザースキャナ装置とそれを支持するレーザーステイのみの構成によって、白黒複写機のレーザービームの照射位置ズレが、要求性能である５μｍ以下となるような構成を用いることで、白黒複写機において鮮明な画像が得られる。
【０１１４】
そして、カラー複写機のみに、レーザーステイに着脱可能なアタッチメント部材を取り付けることにより、レーザースキャナ装置周りの剛性が上がり、駆動源からの振動に強い系となる。更に、アタッチメント部材にレーザービームの光路を決めるレーザー発光部及びスキャナモータ近傍を保持する機能を持たせることで、カラー複写機におけるレーザースキャナ周りの防振効果が非常に高くなる。
【０１１５】
これにより、カラー複写機における、トナーを４色のせる際の色ずれや、作像部（現像：４つ、中間転写等）を稼動させることで発生する駆動源の振動からレーザースキャナ周りを防振することができ、カラー複写機における照射位置ズレの要求性能：２μｍ以下を満足でき、画像ブレのない鮮明な画像が得られる。
【０１１６】
以上の構成をとることで、レーザースキャナ装置とレーザーステイの共通化によるレーザースキャナ装置及びレーザーステイの型投資を軽減でき、製品コストの低減が可能となる。
【０１１７】
また、この共通化を行うことで、白黒複写機とカラー複写機におけるレーザーステイの配置を共通化することもでき、白黒複写機からカラー複写機への変更をしようとした場合には、レーザーステイにアタッチメント部材をつけるのみでレーザースキャナ装置周りを白黒複写機からカラー複写機へ変更できる。
【０１１８】
そして、白黒複写機からカラー複写機へ複写機本体の変更も可能となり、製品のリユース化に非常に大きな効果がある。
【０１１９】
以上のように、カラー複写機及び白黒複写機において、走査装置（レーザースキャナ装置１００ｃとレーザーステイ１０５ｃ）の共通化が可能となり、型投資軽減による製品の低価格化が図れる。また、白黒複写機のように走査精度の要求が比較的低いものに対して、必要以上に部品点数を増やしてしまうこともない。
【０１２０】
（第２の実施の形態）
図７には、本発明の第２の実施の形態が示されている。上記第１の実施の形態では、アタッチメント部材をレーザーステイに取り付ける作業においては、アタッチメント部材のスライド動作（レーザースキャナ装置をレーザーステイに挿入する方向Ｖ１と垂直なＦ１方向へのスライド動作）を必要としていた。本実施の形態では、アタッチメント部材をレーザーステイに取り付ける作業においては、一方向（レーザースキャナ装置をレーザーステイに挿入する方向Ｖ１）のみの作業で取り付けが可能な場合を説明する。この構成を取る事で、作業者が作業するための方向のみで、アタッチメント部材をレーザーステイに取り付けるができ作業性が向上される。
【０１２１】
その他の基本的な構成および作用については第１の実施の形態と同一なので、同一の構成部分については同一の符号を付して、その説明は省略する。なお、同一の構成及び機能であって、配置位置等多少異なる要素を持つ構成部分については、数字の符号に添えた英字の符号をｄに替えて示し、適宜その説明についても省略する。
【０１２２】
図７は本発明の第２の実施の形態に係る走査装置の概略構成図であり、（Ａ）はその上視図であり、（Ｂ）はその断面図である。
【０１２３】
本実施の形態では、上記第１の実施の形態の場合の構成に対して、アタッチメント部材１１０ｄのレーザーステイ１０５ｃへの固定方向がＶ１方向のみで可能となり、Ｆ１方向へのスライドが不要な構成となっている。
【０１２４】
つまり、アタッチメント部材１１０ｄの引掛け部１１９ｄとレーザースキャナ装置１００ｃへの第三の加圧バネ１２０ｄがＶ１方向からだけで取り付け可能な構成となっており、レーザーステイ１０５ｃとアタッチメント部材１１０ｄの固定はビス１３１ｄを締付けることで行える。
【０１２５】
なお、Ｆ２方向から見た断面図である図７（Ｂ）に示すように、レーザーステイ１０５ｃとアタッチメント部材１１０ｄに、それぞれ固定用の曲げ１３２ｄ，１３３ｄを設け、ビス１３１ｄの替わりにビス１３４ｄによって固定できる構成をＨ１部に設けることで、アタッチメント部材１１０ｄの着脱及びビス止め等全ての取り付けをＶ１方向から可能となる。
【０１２６】
（第３の実施の形態）
図８及び図９には、本発明の第３の実施の形態が示されている。本実施の形態においては、上記第２の実施の形態の構成に対して、アタッチメント部材に取り付けられた第三の加圧バネの位置を、レーザースキャナ装置の幅よりも外側に設けた場合の構成を示す。
【０１２７】
その他の基本的な構成および作用については第２の実施の形態と同一なので、同一の構成部分については同一の符号を付して、その説明は省略する。なお、同一の構成及び機能であって、配置位置等多少異なる要素を持つ構成部分については、数字の符号に添えた英字の符号をｅに替えて示し、適宜その説明についても省略する。
【０１２８】
図８は本発明の第３の実施の形態に係る走査装置の概略構成図であり、（Ａ）はその上視図であり、（Ｂ）はその断面図の一部である。
【０１２９】
本実施の形態は、上記第２の実施の形態の構成に対して、第三の加圧バネ１２０ｅをレーザースキャナ装置の幅Ｗ１の領域外Ｗ２に設けた構成である。
【０１３０】
この方式を用いると、レーザースキャナ装置１００ｃの交換時には、アタッチメント部材１１０ｅを外すことなくＶ１方向からレーザースキャナ装置１００ｃの着脱が可能となる。従って、レーザースキャナ装置１００ｃの交換性が更に向上する。
【０１３１】
また、本実施の形態におけるレーザーステイ１０５ｃとアタッチメント部材１１０ｅの固定はビス１３１ｅを締付けて行う構成である。ただし、上記第２の実施の形態で述べた図７（Ｂ）の場合と同様に、固定用の曲げを設けることによる、アタッチメント部材の着脱及びビス止めの全てのアクセスをＶ１方向から行える構成をＨ２部に設けることもできる。
【０１３２】
なお、図９は図８の変形例を示したものであり、第三の加圧バネ１２０ｅがレーザーステイ１０５ｃを挟んでアタッチメント部材１１０ｅにビス固定されている。
【０１３３】
このような構成にすることで、レーザーステイ１０５ｃに設けた第三の加圧バネ１２０ｅ用の穴１２１ｅ（図８（Ａ）に示している）を塞ぐことができ、レーザースキャナ周り剛性が更に高くなり、レーザービーム１０１ｃの照射位置ズレを抑制できる。
【０１３４】
（第４の実施の形態）
図１０には、本発明の第４の実施の形態が示されている。上記各実施の形態では、アタッチメント部材にレーザースキャナ装置の筐体（レーザースキャナ箱）を支持する支持手段（第三の加圧バネ）を設ける構成を示した。本実施の形態では、この支持手段を設けずに、支持部材（レーザーステイ）に対する設置範囲を大きくすることで、所望の振動抑制効果を発揮するように構成する場合を示す。
【０１３５】
その他の基本的な構成および作用については第１の実施の形態と同一なので、同一の構成部分については同一の符号を付して、その説明は省略する。
【０１３６】
図１０は本発明の第４の実施の形態に係る走査装置の概略構成図であり、（Ａ）はその上視図であり、（Ｂ）はその断面図である。
【０１３７】
本実施の形態では、アタッチメント部材１１０ｆに第三の加圧バネが付いていない構成である。
【０１３８】
本実施の形態の場合には、アタッチメント部材１１０ｆはレーザービーム１０１ｃの光路を決定するレーザー発光部１０６ｃ、スキャナモータにより駆動される回転多面鏡１０２ｃ、及び反射ミラー１０４ｃを被う構成にすることで、第三の加圧バネがレーザースキャナ装置を保持しなくとも十分に振動を抑制することができ、レーザービーム１０１ｃの照射位置ズレを抑制することが出来る。
【０１３９】
【発明の効果】
以上説明したように、本発明により、走査精度の要求の異なる画像形成装置に対して走査装置を適用できるため汎用性に優れる。これによりコストダウンにもつながる。
【図面の簡単な説明】
【図１】本発明の実施の形態に係る画像形成装置における主要構成部付近の模式的断面図である。
【図２】本発明の第１の実施の形態に係る走査装置の概略構成図である。
【図３】本発明の第１の実施の形態に係る走査装置におけるレーザーステイにアタッチメント部材を取り付ける場合の様子を示す斜視図である。
【図４】本発明の第１の実施の形態に係る走査装置周りの概略構成図である。
【図５】本発明の第１の実施の形態に係る走査装置における支持構造の説明図である。
【図６】本発明の第１の実施の形態に係る走査装置による走査精度を説明する説明図である。
【図７】本発明の第２の実施の形態に係る走査装置の概略構成図である。
【図８】本発明の第３の実施の形態に係る走査装置の概略構成図である。
【図９】本発明の第３の実施の形態に係る走査装置の概略構成図である。
【図１０】本発明の第４の実施の形態に係る走査装置の概略構成図である。
【図１１】従来技術に係るカラー画像形成装置の模式的断面図である。
【図１２】従来技術に係る白黒画像形成装置の模式的断面図である。
【図１３】走査装置による画像不良が発生する原因を説明する説明図である。
【図１４】従来技術に係るレーザースキャナ周り斜視図である。
【符号の説明】
３３ａ，３３ｂ，３３ｃ，３３ｄ　感光ドラム
３４ａ　ブラック現像器
３４ｂ　イエロー現像器
３４ｃ　シアン現像器
３４ｄ　マゼンタ現像器
３４Ｄ　回転現像体
３５ａ，３５ｄ　中間転写ベルト
３６ａ，３６ｂ　定着器
３７ａ　クリーナ
３８ａ　転写部
３８ｂ　転写ローラ
４０ａ　給紙部
４０ｂ　給紙装置
４５ａ，４５ｂ　排紙トレイ
４６ｂ，４６ｃ　現像器
６１ａ，６１ｂ，６１ｃ，６１ｄ　ドラムカートリッジ
１００ｃ　アタッチメント部材
１００ａ，１００ｂ，１００ｃ　レーザースキャナ装置
１０１ａ，１０１ｂ，１０１ｃ　レーザービーム
１０２ａ，１０２ｂ，１０２ｃ　回転多面鏡
１０３ａ，１０３ｂ　レンズ
１０４ａ，１０４ｂ，１０４ｃ，１０４ｄ　反射ミラー
１０５ａ，１０５ｂ，１０５ｃ　レーザーステイ
１０６ａ　レーザー光源
１０６ｃ　レーザー発光部
１０７ａ，１０７ｃ　レーザースキャナ箱
１１０ｃ，１１０ｄ，１１０ｅ，１１０ｆ　アタッチメント部材
１１２ｃ　　　外装カバー
１１３ｃ　嵌合部
１１５ｃ　第一の加圧バネ
１１７ｃ　第二の加圧バネ
１１９ｃ，１１９ｄ　引掛け部
１２０ｃ，１２０ｄ，１２０ｅ　第三の加圧バネ
【図１】
2004021156.tif 000003
【図２】
2004021156.tif 000004
【図３】
2004021156.tif 000005
【図４】
2004021156.tif 000006
【図５】
2004021156.tif 000007
【図６】
2004021156.tif 000008
【図７】
2004021156.tif 000009
【図８】
2004021156.tif 000010
【図９】
2004021156.tif 000011
【図１０】
2004021156.tif 000012
【図１１】
2004021156.tif 000013
【図１２】
2004021156.tif 000014
【図１３】
2004021156.tif 000015
【図１４】
2004021156.tif 000016